(57)【特許請求の範囲】
【請求項１】
第１の有底孔部と第２の有底孔部と、第１及び第２の有底孔部の周囲に配されたフランジ部と、前記フランジ部の、第１及び第２の有底孔部の間に設けられ分離可能な仕切部と、前記フランジ部が前記仕切部により分離されないときは前記フランジ部に接着可能な第１及び第２の有底孔部を閉鎖可能な第１の蓋部と、前記フランジ部が前記仕切部により分離されたとき、第１または第２の有底孔部の一方が閉鎖可能な第２の蓋部とからなる、第1、第2の蓋部及び、第1、第2の有底孔部の組み合わせとする内容物収容ケース。
【請求項２】
前記仕切部は線または略Ｖまたは略Ｕ状の溝または複数の孔部または切断容易なぜい弱部からなる請求項１に記載の内容物収容ケース。
【請求項３】
内容物の注文を受けるステップと、前記注文を受けた内容物の枚数をカウントするステップと、前記枚数を所定の値と比較するステップと、前記枚数が所定の値以上のときは前記内容物を収容する内容物収容ケースの仕切部にカッターを入れないステップと、前記枚数が前記所定の値を越えないときは前記内容物を収容する内容物収容ケースの仕切部にカッターを入れて２分割するステップと、前記内容物収容ケースに内容物を収容するステップと、前記枚数が前記所定の値以上のときは第１の蓋部で閉鎖するステップと、前記枚数が前記所定の値を越えないときは前記内容物を収容して第２の蓋部で閉鎖するステップとを備えた内容物収容方法。
【請求項４】
前記内容物は写真、広告である請求項１に記載の内容物収容ケース。
【請求項５】
前記内容物は写真、広告である請求項３に記載の内容物収容方法。
【発明の詳細な説明】
【技術分野】
【０００１】
本発明は、写真等を収容する内容物等収容ケースおよび内容物収容方法に関する。
【背景技術】
【０００２】
従来、この種類の内容物収容ケースは特許文献１で図１３に示すように２つの有底孔部Ｐ１、Ｐ２に写真等シートを収容する例を示すものか、一つの有底孔部にしか有していなかった。
【先行技術文献】
【特許文献】
【０００３】
【特許文献１】特開２００９−２０８８１７号公報
【発明の概要】
【発明が解決しようとする課題】
【０００４】
従来例では写真等内容物を収容する有底孔部Ｐ１、Ｐ２が２つあり、他方の有底孔部が不要となる場合があり、不要なものを分離しようとしても切除が困難であった。また、また有底孔部が一つもものしかなかった。
【０００５】
本発明は、このような従来の構成が有していた問題を解決しようとするものであり、枚数等の状況に応じて一つまたは二つの有底孔部を選択的に使用して上述の欠点を解決することを目的とするものである。
【課題を解決するための手段】
【０００６】
本発明の請求項１は、第１の有底孔部と第２の有底孔部と、第１及び第２の有底孔部の周囲に配されたフランジ部と、前記フランジ部の、第１及び第２の有底孔部の間に設けられ分離可能な仕切部と、前記フランジ部が前記仕切部により分離されないときは前記フランジ部に接着可能な第１及び第２の有底孔部を閉鎖可能な第１の蓋部と、前記フランジ部が前記仕切部により分離されたとき、第１または第２の有底孔部の一方が閉鎖可能な第２の蓋部とからなる、第1、第2の蓋部及び、第1、第2の有底孔部の組み合わせとする内容物収容ケースを提供することにある。
【０００７】
請求項２は、前記仕切部は線または略Ｖまたは略Ｕ状の溝または複数の孔部または切断容易なぜい弱部からなる請求項１に記載の内容物収容ケースを提供することにある。
【０００８】
請求項３は、内容物の注文を受けるステップと、前記注文を受けた内容物の枚数をカウントするステップと、前記枚数を所定の値と比較するステップと、前記枚数が所定の値以上のときは前記内容物を収容する内容物収容ケースの仕切部にカッターを入れないステップと、前記枚数が前記所定の値を越えないときは前記内容物を収容する内容物収容ケースの仕切部にカッターを入れて２分割するステップと、前記内容物収容ケースに内容物を収容するステップと、前記枚数が前記所定の値以上のときは第１の蓋部で閉鎖するステップと、前記枚数が前記所定の値を越えないときは前記内容物を収容して第２の蓋部で閉鎖するステップとを備えた内容物収容方法を提供することにある。
【０００９】
請求項４は、前記内容物は写真、広告である請求項１に記載の内容物収容ケースを提供することにある。
【００１０】
請求項５は、前記内容物は写真、広告である請求項３に記載の内容物収容方法を提供することにある。
【発明の効果】
【００１４】
上述したように、本発明の内容物収容ケース、内容物収容方法は複数ある有底部である収容部を分割して使うことができるので少数の収容物を収容するのに一つの収容部で済ますことができるので配送に好都合である。また複数の収容部に収容物を異なる収容部に収容することができるので所望の収容物を容易に取り出すことができる。
【００１５】
また、分離された二つの内容物収容ケースの開口部を対向させてゴム等ひもで固定して保管することができる。また、仕切部をヒンジ部に変えて内容物収容ケースの開口部を対向させて封じることができ、写真等の保存に適する。
【図面の簡単な説明】
【００１６】
【図１】本発明の内容物収容下ケースの第１の実施例を示す斜視図
【図２】内容物収容下ケースの一部詳細図
【図３】図１の内容物収容下ケースを分割した一つの内容物収容下ケースの斜視図
【図４】内容物収容下ケースの第２の実施例を示す図
【図５】内容物収容下ケースの第３の実施例を示す図
【図６】内容物収容下ケースを折りたたんだ図
【図７】内容物収容ケースの宛先を記載したヘッダープリントを示す図
【図８】内容物収容下ケースを分離しない状態のときの内容物収容下ケースの蓋部を示す図
【図９】内容物収容下ケースが分離したとこの内容物収容下ケースの蓋部を示す図
【図１０】内容物収容ケースの内容物収容方法を示すブロック図
【図１１】図１０の制御部のプログラムを示す第１のフローチャートの例
【図１２】図１０の制御部のプログラムを示す第２のフローチャートの例
【図１３】従来例
【発明を実施するための形態】
【００１７】
図１は、本発明の内容物収容ケースの第１の実施例を示す斜視図を示し、図２は、その一部の詳細を示す図であり、図３は図１の内容物収容下ケースを２分割してできた一方の内容物収容下ケースを示す。
【００１８】
１は塩化ビニル樹脂のシートのようなプラスチックシートを圧縮成型して作られた内容物収容下ケースを示し、２Ａ、２Ｂは、写真、広告のような不図示のシートを収容する有底孔部を示し、３はそれを囲むフランジを示し、４はフランジの中間部にある仕切部を示す。
【００１９】
図２は仕切部４を拡大した図を示す。この仕切部３のＶ字形状にカッターを当てて二つに分離する。ここでＶ字型で示しているがＵ字型のように分離する位置を示すことができればよい。
【００２０】
図３は、内容物収容下ケース１を分割した一つの内容物収容下ケースの斜視図を示し、フランジ３Ａに有底孔部２Ａが設けられ、この有底孔部に写真等を収容する。
【００２１】
図４は、内容物収容下ケースの第２の実施例を示す図であり、仕切部４の代わりに５で示す切断用孔を設け、不図示のカッターを切断用孔５に当てて二つの有底孔部を分離する。
【００２２】
図５は、内容物収容下ケースの第３の実施例を示す図を示し、第１、第２の実施例は内容物収容下ケース１は塩化ビニルシートを圧縮成型で製造したが、図５はポリプレンのようなプラスチックを射出成型で製造したもので仕切部の代わりに４Ａで示すヒンジ部を設けたものである。
【００２３】
図６は、内容物収容下ケースを折りたたんだ図を示し、一方のフランジに３Ｇ、３Ｈで示すロック孔、他方のフランジに３Ｊ、３Ｋで示すロックピンを示し、二つのフランジを畳んでロックピン３Ｊ、３Ｋをロック孔３Ｇ、３Ｋに差し込んでロックして２つの有底孔部を閉じることができる。
【００２４】
図７は、宛名等を記載したヘッダープリントを示す図である。
【００２５】
６で示すヘッダープリントで写真プリント等の最上位に配し、７は宛名部を示し、８は色によって配送業者、配送方法を示す図であり、９は支払方法を色で示し、１０はプリント業者等の送付元を示す。
【００２６】
図８は、内容物収容下ケースを分離しない状態のときの内容物収容下ケースの蓋１１を示す図であり、図９は、内容物収容下ケースが分離したとこの内容物収容下ケースの蓋１２を示す図を示し、それぞれの透明部で宛名と送付先を視認可能である。
【００２７】
図１０は、内容物収容ケースの内容物収容方法を示すブロック図を示す。
【００２８】
２０で示す制御部に対して内容物収容ケースに収容するシート、例えば写真の２１で示す枚数情報を入力し、さらに２２で示すシートの種類情報を入力する。
【００２９】
制御部２０に対して出力側には２５で示すカッターを作動する、すなわち内容物収容下ケース１を仕切部でカットするカッター作動信号を出力する。または２６で示すカッターを作動させないようにするカッター不作動信号を出力する。
【００３０】
２７は写真、広告等のシートを内容物収容下ケースに収容する不図示の収容機を作動する収容機作動信号を出力する。
【００３１】
２８は写真を分類、写真と広告に仕分けるなどを担う不図示の仕分機を作動する仕分機作動信号を出力する。
【００３２】
２９は、内容物収容下ケース１に内容物を収容して蓋（大）または蓋（小）を内容物収容下ケース1に接着する蓋接着機作動信号を出力する。
【００３３】
図１１は、図１０の制御部のプログラムを示す第１のフローチャートの例を示す。
【００３４】
ここで内容物収容下ケース１の２つの有底孔部２Ａ、２ＢにはそれぞれＡ枚収容できるものとする。そしてこのフローチャートは２つの有底孔部２Ａ、２Ｂに収容するシートは２Ａまでとする。
【００３５】
Ｓ１で、シート、ここではシートを写真とし写真の枚数がＡ枚以上で２Ａ枚以下のとき、制御部２０にその旨を入力すると、カッター不作動信号２６が出力され、内容物収容下ケースにカッターは作動しないでＳ２に進んで写真を収容機作動信号が出力して写真を収容し写真の収容が終了すると、Ｓ３に進み、宛名等が記載されたヘッダープリント６がそのバーコード等の信号により収容されていると確認をし、Ｓ４に進んで、蓋接着機作動信号が出力して蓋（大）１１を選択して内容物収容下ケースに接着してＳ５に進んでこのプロセスを終了する。
【００３６】
Ｓ１で写真の枚数がＡ枚以下のときは、制御部２０に枚数情報２１が入力すると、Ｓ７に進んで、カッター作動信号２５が出力されて不図示のカッターが作動して内容物収容下ケース１の仕切部４を切断する。
【００３７】
Ｓ８に進んで写真を収容機作動信号が出力し写真がＡ枚収容されると、Ｓ９に進み、宛名等が記載されたヘッダープリント６がそのバーコード等の信号により収容されていると確認をし、Ｓ１０に進んで、蓋接着機作動信号が出力して蓋（小）１２を選択して内容物収容下ケースに接着してＳ１１に進んでこのプロセスを終了する。
【００３８】
ここで写真の枚数Ｎが２Ａより４Ａより少ないときは、まず２Ａまでは上記フローチャートに従ってカッターを作動せずに二つの有底孔に写真を収容し、その残りについては上記フローに従う。２Ａ毎に上述のフローを繰り返していく。
【００３９】
図１２は、図１０の制御部のプログラムを示す第２のフローチャートの例を示し、ここでは写真を日付等のＥＸＩＦ情報、風景、被写体等で分類した情報により同じ分類の写真または、写真と広告のように写真でなくても他の種類でも写真ならば一方の有底孔部に、広告なら他方の有底孔部に収容する例について説明する。
【００４０】
まず分類が二種類の分類のみの写真の場合に、例えばＳ２１で分類がＸの場合はその旨を制御部に入力すると仕分機作動信号２８が出力され、一方の有底孔部に写真が収容される。ここで写真の枚数Ｎは一つの有底孔部の限界のＡ枚以下であると仮定する。
【００４１】
次にＳ２２に進み、分類Ｘの写真がすべて収容されたと判断され、Ｓ２３で宛名等が記載されたヘッダープリントがあるかどうかを確認し、Ｓ２４に進んで蓋選択／蓋接着機作動信号が出力して蓋（小）１２が選択されて不図示の接着機により接着して終了する。
【００４２】
次にＳ２７でもし分類Ｙの写真がすべて収容されたと判断され、Ｓ２８で宛名等が記載されたヘッダープリントがあるかどうかを確認し、Ｓ２９に進んで蓋選択／蓋接着機作動信号が出力して蓋（小）１２が選択されて不図示の接着機により接着して終了する。
【００４３】
また、ここでは分類としてＸとＹしかなかったが、重要度の高い分類をまず優先し、その他は種々の分類のものが入ってもよい。また一つの分類の数が多いときは第１のフローチャートに従う。
【符号の説明】
【００４４】
１                      内容物収容下ケース
２Ａ、２Ｂ              有底孔部
３                      フランジ
４                      仕切部
４Ａ                    ヒンジ部
５                      切断用孔
６                      ヘッダープリント
７                      宛名部
８                      配送識別部
９                      支払方法識別部
１０                    送付元
１１                    蓋（大）
１２                    蓋（小）
２０                    制御部
２１                    枚数入力部
２２                    分類入力部
２５                    カッター作動
２６                    カッター不作動
２７                    収容機作動
２８                    仕分機作動
２９                    蓋接着機作動        
【図１】
0005936023.tif 000002
【図２】
0005936023.tif 000003
【図３】
0005936023.tif 000004
【図４】
0005936023.tif 000005
【図５】
0005936023.tif 000006
【図６】
0005936023.tif 000007
【図７】
0005936023.tif 000008
【図８】
0005936023.tif 000009
【図９】
0005936023.tif 000010
【図１０】
0005936023.tif 000011
【図１１】
0005936023.tif 000012
【図１２】
0005936023.tif 000013
【図１３】
0005936023.tif 000014